(57)【要約】【課題】長時間にわたって冷風が続くことなく、室内ファンのハンチングを低減することが可能な空気調和機を提供する。【解決手段】室内熱交換器６と、室内空気を吸込んで室内熱交換器６と熱交換させて室内に放出する室内ファン９と、室内熱交換器６の温度を検出する温度検出手段１０と、温度検出手段１０の検出結果によって通常運転とそれよりも風量の少ない弱風運転とに切換え制御する制御装置１１とを備え、制御装置１１は、室内熱交換器６の温度変動が設定許容範囲を超えたときに、弱風運転時間を延長する延長手段を有する構成とする。【選択図】図３
2004028429.tif 000002
【特許請求の範囲】
【請求項１】
室内熱交換器と、室内空気を吸込んで前記室内熱交換器と熱交換させて室内に放出する室内ファンと、前記室内熱交換器の温度を検出する温度検出手段と、該温度検出手段による検出温度が、基準温度以下になったときに室内ファンの回転数を少なくする弱風運転を行い、基準温度以上になったときに室内ファンの回転数を通常の設定回転数にする通常運転を行うようにした制御装置とを備え、前記制御装置は、室内熱交換器の温度変動が設定許容範囲を超えたときに、弱風運転中に弱風運転時間を延長する延長手段を有することを特徴とする空気調和機。
【請求項２】
前記延長手段は、弱風運転時の室内ファンの回転数を多くすることを特徴とする請求項１記載の空気調和機。
【請求項３】
前記延長手段は、前記室内ファンの回転数を上げているときに検出された室内熱交換器の温度が、通常運転から弱風運転に切換えるときの基準となる温度よりも高くなったときに、室内ファンの回転数をさらに上げ、前記基準温度よりも低くなったときに、室内ファンの回転数を下げる請求項２記載の空気調和機。
【請求項４】
弱風運転における室内ファンの回転数が段階的に複数設定され、前記延長手段は、設定されたひとつの回転数で所定時間運転し、その所定時間経過後に検出された室内熱交換器の温度が通常運転から弱風運転に切換えるときの基準となる温度よりも高くなったときに室内ファンの回転数を一段階あるいは複数段階上げ、前記基準温度よりも低くなったときに、室内ファンの回転数を一段階あるいは複数段階下げる請求項１〜３のいずれかに記載の空気調和機。
【請求項５】
前記制御装置は、前記弱風運転中に室内ファンの回転数が通常運転時の回転数と同じになったとき、延長手段の動作を終了させる請求項２〜４のいずれかに記載の空気調和機。
【請求項６】
室内熱交換器と、室内空気を吸込んで前記室内熱交換器と熱交換させて室内に放出する室内ファンと、前記室内熱交換器の温度を検出する温度検出手段と、室内熱交換器の温度が第一基準温度Ｔ１以下になったときに室内ファンの回転数を少なくする弱風運転を行い、室内熱交換器の温度が第二基準温度Ｔ２（ただしＴ１＜Ｔ２）以上になったときに室内ファンの回転数を通常の設定回転数にする通常運転を行うようにした制御装置とを備え、前記制御装置は、室内熱交換器の温度変動が設定許容範囲を超えたときに、前記第一基準温度と第二基準温度との温度差を大きくする空気調和機。
【請求項７】
前記制御装置は、室内熱交換器の温度変動が設定許容範囲を超えたときに、第一基準温度を下げる請求項６記載の空気調和機。
【請求項８】
前記制御装置は、室内熱交換器の温度変動が設定許容範囲を超えたときに、第二基準温度を上げる請求項６記載の空気調和機。
【請求項９】
前記制御装置は、室内熱交換器の温度変動が設定許容範囲を超えたときに、第一基準温度を下げ、かつ第二基準温度を上げる請求項６記載の空気調和機。
【請求項１０】
前記制御装置は、第一基準温度と第二基準温度との温度差を大きくした後、室内熱交換器の温度が第一基準温度よりも高い温度を一定時間維持したとき、前記第一基準温度と第二基準温度との温度差を元に戻すことを特徴とする請求項６〜９のいずれかに記載の空気調和機。
【発明の詳細な説明】
【０００１】
【発明の属する技術分野】
本発明は、空気調和機に関するものであり、より詳細には暖房時における室内ファンの回転数の変化による使用感の低下を防止することが可能な空気調和機に関するものである。
【０００２】
【従来の技術】
通常暖房運転の場合、特にノーマルタイプと呼ばれる定回転でしかコンプレッサーが回らないタイプの空気調和機において自動風量にした場合、設定温度と室内温度との差でファン速を決めていくのが普通であり、設定温度と室内温度の差が大きいほどファン回転数を大きくする。
【０００３】
ところが、室内熱交換器温度が十分に暖まっていない状態でファン回転数を多くすると、吹き出し空気が温まっていないので冷風を出すことになる。これを防止するために、室内熱交換器温度を測定し、ある一定以上の温度に上がった場合には、ファン回転数を設定回転数にまで上げる通常運転を行い、それ以下の温度の場合は、冷風を防止するためファン回転数を少なくした弱風運転を行うか、あるいはファンは停止ししたままとする。これは、ユーザーの使用感を上げるためには必ず必要な制御となる。
【０００４】
しかしながら、外気温が極低温で室内熱交換器温度が非常に上がりにくい場合、一旦、熱交換器温度が弱風運転終了温度まで上がり、通常運転になって風量が上がることにより、熱交換器がすぐに弱風運転開始温度まで落ちることがある。
【０００５】
図１１は従来の空気調和機における室内熱交換器と室内ファンの回転数との関係を示すグラフである。グラフに示すように、何も対策をとっていない場合、室内ファンから送り出される風が強風になったり、弱風になったりの繰り返しとなり（以下ハンチングという）、ユーザーの使用感を非常に損なう結果となる。
【０００６】
このような問題を解決する方法としては、特開平１０−２６７３７２号公報に記載されているように、ハンチングを起こしたと判断したときには、室内ファン回転数を所定値に下げるようにする方法が知られている。
【０００７】
また、特開平１１−２６４５９９号公報には、室内熱交換器温度低下を検知して、室内ファンを所定回転数ごとに熱交換器温度が所定温度以上に維持できるまで下げ、室温が所定値以上になるまでこの制御を続けた後、室内ファンの回転数を元の設定回転数まで戻す制御方法が記載されている。これらの方法を用いることにより、室内ファンの回転数の変化を抑える効果が認められ、ユーザーの使用性があがる。
【０００８】
【発明が解決しようとする課題】
しかしながら、上記方法によって室内ファンの回転数を制御した場合、どちらの方法も、設定回転数で熱交換器温度が維持できない場合には、設定回転数から、順次、ファン回転数を少なくしていく制御を行う。
【０００９】
この場合、熱交換器温度を検知ながら、設計意図の吹出し温度になるまで順次ファン回転数を少しずつ少なくしていく制御なので、ファン回転数が弱風運転時より少しだけ高いところでないと熱交換器温度を維持できない場合などは、そのファン回転数になるまでファンの回転数を変更し続けなければならず、所定回転数になるまでの時間がかかるという問題が生じる。
【００１０】
そして前述の特開平１０−２６７３７２号公報記載の方法においては、制御終了条件がコンプレッサー停止、除霜運転、運転停止などでカウンタをリセットしなければ終了しないので、そのような終了条件動作がない状態では、すでにハンチングしない条件になっても、ファン回転数が通常制御に戻らないのでファン回転数を規制したまま（低い回転数）の運転が続くことになる。
【００１１】
また、特開平１１−２６４５９９号公報記載の方法の場合は、初期の設定風量からいきなり超微風ゾーンにならないために、所定値ごとに少しずつファン回転数を少なくしていく制御になっているが、この場合、所定熱交換器温度以上になっているかの判定には、通常、ファン回転数が安定し、熱交換器温度を検知できるまでに、１〜２分間必要となる。
【００１２】
したがって、例えば、実施形態に記載されている強風（１４００ｒｐｍ）から超微風（８００ｒｐｍ）まで熱交換器温度を下げなければ、熱交換器温度が維持できない場合、２０ｒｐｍずつ下げていくのであれば、３０ステップ踏むことになり約３０分間、冷たい風が吹続けることになる。
【００１３】
そこで、本発明は、上記問題に鑑み、長時間にわたって冷風が続くことなく、室内ファンのハンチングを低減することが可能な空気調和機を提供することを目的とする。
【００１４】
【課題を解決するための手段】
上記目的を達成するため、本発明に係る空気調和機は、室内熱交換器と、室内空気を吸込んで室内熱交換器と熱交換させて室内に放出する室内ファンと、室内熱交換器の温度を検出する温度検出手段と、温度検出手段による検出温度が基準温度以下になったときに室内ファンの回転数を少なくする弱風運転を行い、基準温度以上になったときに室内ファンの回転数を通常の設定回転数にする通常運転を行うようにした制御装置とを備え、制御装置は、室内熱交換器の温度変動が設定許容範囲を超えたときに、弱風運転時間を延長する延長手段を有することを特徴とする。
【００１５】
上記構成により、ハンチングの頻度を減少させることが可能となり、冷風の吹出しを防止することができ、良好な使用感を維持することが可能となる。
【００１６】
制御装置としては、制御マイコンを利用し、温度検出手段によって検出された室内熱交換器の温度変動が設定許容範囲内のときは通常運転と弱風運転とに切換え制御し、設定許容範囲を超えたときは、延長手段により、弱風運転を延長するようにすればよい。
【００１７】
室内熱交換器の温度変動が設定許容範囲内にあるか否かについては、制御装置において、一定時間における通常運転と弱風運転との切換え回数、すなわち、運転切換えの頻度を計測し、頻度がある一定の値よりも高いときは設定許容範囲外（ハンチングが生じている）と判断して延長手段が作動するように設定してもよいし、室内熱交換器の温度変化率がある一定値よりも大きいときは設定許容範囲外と判断するように設定することも可能である。
【００１８】
室内熱交換器の温度変動が設定許容範囲内にある場合、通常運転と弱風運転を切換え制御するには、制御装置にひとつの基準温度を設定し、この温度よりも低いときは弱風運転を行い、高いときは通常運転を行うようにしてもよい。
【００１９】
また、制御装置に第一基準温度Ｔ１と第二基準温度Ｔ２（ただしＴ１＜Ｔ２）とを予め設定しておき、室内熱交換器の温度が第一基準温度Ｔ１以下のときに室内ファンの回転数の少ない弱風運転を行い、室内熱交換器の温度が第二基準温度Ｔ２以上のときに室内ファンの回転数を通常の設定回転数にする通常運転を行うようにすれば、弱風運転と通常運転との切換えの自由度が広がる点で好ましい。
【００２０】
延長手段は、弱風運転時間を延長する機能を備えたものであればよく、弱風運転時に室内ファンの回転数を一定にしたままとしてもよいが、室内熱交換器の温度上昇に合わせて室内ファンの回転数を連続的あるいは段階的に上げるようにすれば、早期に温風を室内に吹き出すことが可能になるとともに、熱交換効率を高めることができる。
【００２１】
この場合、室内ファンの回転数の上昇速度は、予め設定しておいてもよいが、室内熱交換器の温度を検出しつつ、検出された室内熱交換器の温度が、通常運転から弱風運転に切換えるときの基準となる温度よりも高くなったときに、室内ファンの回転数をさらに上げ、前記基準温度よりも低くなったときに、室内ファンの回転数を下げるようにすれば、実際の室内熱交換器の温度とのずれが少なく、冷風が吹き出すのを抑制することができる。
【００２２】
ただ、室内熱交換器の温度は、室内ファンの回転数を変更すると、すぐに変化せず、温度が変化して安定するまでにしばらく時間がかかる。そこで、本発明においては、延長手段として、弱風運転における室内ファンの回転数を段階的に複数設定し、設定されたひとつの回転数で所定時間運転し、その所定時間経過後に検出された室内熱交換器の温度が通常運転から弱風運転に切換えるときの基準となる温度よりも高くなったときに室内ファンの回転数を一段階あるいは複数段上げ、前記基準温度よりも低くなったときに、室内ファンの回転数を一段階あるいは複数段階下げる構成を採用可能とした。
【００２３】
所定時間とは、室内ファンの回転数を変更したときに、室内熱交換器の温度が安定するのに必要な時間を意味する。したがって、上記構成によれば、設定されたひとつの回転数で室内ファンを所定時間運転するため、その間に室内熱交換器の温度が安定する。
【００２４】
その安定した温度を基に次の所定時間運転する室内ファンの回転数を決定するため、室内ファンの回転数と、実際の室内熱交換器の温度とのずれがほとんどなくなり、冷風が吹き出すのをより確実に抑制することが可能となる。
【００２５】
なお、室内ファンの回転数については、一段階ずつ変更してもよいが、所定時間運転する前と後との温度変化率を基に一段階あるいは複数段階変更するようにすれば、よりはやく室内に温風を供給することができる。
【００２６】
延長手段が一度作動した後は、そのまま作動状態を持続させてもよいが、弱風運転中に室内ファンの回転数が通常運転時の回転数と同じになったとき、すなわち、室内温度が設定温度に近づいたときに延長手段の動作を終了させるようにすれば、その後、多少の室温の変化があってもその温度変動が設定許容範囲内であれば、延長手段が作動するおそれがない。
【００２７】
例えば、ドアや窓の開閉によって一時的に室温が下がっても、延長手段作動時のように、その温度変化に敏感に反応して室内ファンの回転数が変化するおそれがなく、使用感の低下を防止することが可能となる。
【００２８】
また、本発明においては、室内熱交換器と、室内空気を吸込んで室内熱交換器と熱交換させて室内に放出する室内ファンと、室内熱交換器の温度を検出する温度検出手段と、室内熱交換器の温度が第一基準温度Ｔ１以下になったときに室内ファンの回転数を少なくする弱風運転を行い、室内熱交換器の温度が第二基準温度Ｔ２（ただしＴ１＜Ｔ２）以上になったときに室内ファンの回転数を通常の設定回転数にする通常運転を行うようにした制御装置とを備え、制御装置は、室内熱交換器の温度変動が設定許容範囲を超えたときに、第一基準温度と第二基準温度との温度差を大きくする構成を採用可能とした。
【００２９】
上記構成のように、第一基準温度と第二基準温度との温度差を大きくすることによってもハンチングの頻度を少なくすることが可能となる。第一基準温度と第二基準温度との温度差を大きくするには、例えば、第一基準温度を下げてもよいし、第二基準温度を上げてもよいし、あるいは、第一基準温度を下げ、かつ第二基準温度を上げるようにすることも可能である。
【００３０】
第一基準温度を下げる場合には室内ファン通常運転の時間が増加するため、室内をはやく暖めることができ、第二基準温度を上げる場合には弱風運転の時間が増加するため、冷風が吹出しを抑制することができる。
【００３１】
制御装置は、第一基準温度と第二基準温度との温度差を大きくした後、室内熱交換器の温度が第一基準温度よりも高い温度を一定時間維持したときには、室内が十分暖められてハンチングを起こすおそれがなくなったと判断して前記第一基準温度と第二基準温度との温度差を元に戻せば、適正な温度範囲の風を室内に供給することができる。
【００３２】
本発明における空気調和機は、室内機と室外機とからなるセパレート型であってもよいし、窓枠に取付けるタイプのように凝縮器と蒸発器とが本体内に一体的に収容された一体型であってもよい。なお、後者の場合には、凝縮器が室内熱交換器となる。
【００３３】
また、暖房運転のみを行うものであってもよいし、冷凍サイクルを暖房運転サイクルと冷房運転サイクルのいずれかに切換える四方弁のような切換え弁を設けることにより、暖房運転及び冷房運転の両方の運転を可能としたものであってもよい。
【００３４】
いずれの場合であっても、本発明によれば、暖房運転時に室内空気を吸込んで凝縮器と熱交換させて室内に放出するための室内ファンのハンチングを効果的に抑制することができる。
【００３５】
【発明の実施の形態】
［第１の実施形態］
図１〜４は、本発明の第１の実施形態を示す図であり、図１は空気調和機の構成図を、図２は制御装置を示すブロック図を、図３は制御装置に記憶された動作プログラムを示すフローチャート図を、図４は本実施形態における室内熱交換器の温度と室内ファン回転数との関係を示すグラフをそれぞれ示す。
【００３６】
本実施形態においては、制御装置がハンチング頻度が高いと判断したとき、延長手段を作動させて、弱風運転を延長する点に特徴があり、これによりハンチングの頻度を減少させることが可能な構成とされている。
【００３７】
図１中、空気調和機内には、圧縮機１、四方弁２、室外熱交換器３、絞り機構４及び室内熱交換器６が設けられており、それぞれが冷媒配管５で順次接続されて、冷媒を循環させる冷媒サイクルが構成されおり、その他、室内ファン９、室外ファン８等を備えている。
【００３８】
本実施形態における空気調和機は、セパレート型のものであって、室内機７内には、室内熱交換器６、室内空気を吸込んで室内熱交換器６と熱交換させて室内に放出する室内ファン９、室内熱交換器６の温度を検出する温度検出手段１０として温度サーミスタ及び制御装置１１が収容されている。
【００３９】
制御装置１１は、入力回路、ＣＰＵ、メモリ、出力回路等を備えたマイコンから構成されており、図２に示すように、温度検出手段１０からの出力を受けて室内ファン９の回転数を制御するようになっている。
【００４０】
本空気調和機においては、弱風運転における室内ファン９の回転数が強風、弱風、微風、超微風の４段階に設定されている。制御装置１１は、室内熱交換器６の温度により室内ファン９の運転を切換え制御するようになっている。すなわち、弱風運転の開始温度（第一基準温度）は２８℃であり、室内熱交換器６の温度がこの温度以下のときは超微風の風量にて弱風運転が始まる。
【００４１】
また、弱風運転が終了する温度（第二基準温度）は、３５℃であり、この温度以上のときは通常運転が始まるようになっている。さらに、２０℃以下ではファン９を停止させる。なお、運転開始時やリバース除霜終了時のように、ファン９が停止しているときは、室内熱交換器６の温度が３５℃以上にならなければ、室内ファン９が回りださないようになっている。
【００４２】
制御装置１１の制御について、図３、４を基に説明する。暖房運転を開始すると、冷媒は冷媒サイクル１４を圧縮機１から四方弁２、室外熱交換器３、絞り機構４、室内熱交換器６、四方弁２、圧縮機１と循環する。
【００４３】
今、外気温、室内温度共に−１０℃の時に暖房運転を行うとすると、室内熱交換器６の温度が暖まるまでしばらく室内ファン９は停止している。やがて室内熱交換器６温度が上昇し、弱風運転終了温度３５℃以上になると、室内ファン９が強風で回り、急激に室内熱交換器６の温度が低下して２８℃以下となり、弱風運転が開始されて超微風となる。
【００４４】
この通常運転と弱風運転との切換えが所定時間の間に２回繰り返えして起こると、制御装置１１は、ハンチングの頻度が高いと判断（ＳＴ１）し、延長手段を作動させる。延長手段は、通常運転から弱風運転に切り換って室内熱交換器６の温度が３５℃以上になったとき、室内ファン９を弱風運転から通常運転に切換えずに、超微風より一段階高いファン回転数である微風で弱風運転を延長させる。
【００４５】
そして、１０分間その回転数で運転を行い、室内熱交換器６の温度が第一基準温度（２８℃）よりも高い温度を維持できるかどうかを判断する（ＳＴ２）。第一基準温度よりも高い温度を維持できたら、もう一段階上げて弱風として１０分間その回転数で延長運転を行う。
【００４６】
室内熱交換器６の温度が２８℃以下となった場合は回転数を一段階下げて１０分間その回転数で延長運転を行う。この操作を繰り返し、通常運転の設定風量（この状態では強風）までファン回転数が上がると、ハンチングが生じるおそれがないと判断し（ＳＴ３）、延長手段の動作を終了させて通常の切換え制御に戻す。
【００４７】
［第２の実施形態］
図５及び図６は第２の実施形態を示す図であり、図５は制御装置が行う制御のフローチャート図を、図６は本実施形態における室内熱交換器の温度と室内ファン回転数との関係を示すグラフをそれぞれ示す。
【００４８】
本実施形態においては、制御装置１１がハンチング頻度が高いと判断したとき、第一基準温度を下げるようにした点に特徴があり、これによりハンチングの頻度を減少させることが可能な構成とされており、その他の構成は第１の実施形態と同じとされている。
【００４９】
本実施形態における制御装置１１の制御について、図５、６を基に説明する。制御装置１１が、ハンチングの頻度が高いと判断（ＳＴ１）したとき、弱風運転の開始温度である第一基準温度を下げて弱風運転に入りにくくする。すなわち、２８℃以下で弱風運転に入るところを２２℃以下で弱風運転に入るようにする。
【００５０】
これは、部屋全体温度上昇を優先させるために、できるだけ長い時間室内ファン９を設定風量（ここでは強風）で回し続けようとするためであり、このような制御にすると、ハンチング頻度が低くなるとともに、室内ファン９が設定風量で回転しやすくなるので、熱交換効率が向上して早く部屋が暖まるという効果を奏する。
【００５１】
図６では、第一基準温度が２８℃から２２℃に変更され、その分室内ファン９の通常運転時間が長くなる。２２℃以下になると、超微風となり、室内熱交換器６の温度が３５℃になったところで、再び、設定風量である強風となる。
【００５２】
これを繰り返すうちに、部屋の温度が高くなり、３０分間、熱交換器温度が２２℃よりも高い温度を維持するかどうかを判断し（ＳＴ２）、維持した場合には、制御装置は第一基準温度を２８℃に戻し、通常の切換え制御にもどる。この３０分という時間は、通常の切換え制御に復帰したときに熱交換器温度６が２８℃になりやすいことを前提にした時間であり、この時間自体は、エアコンの大きさなどにより当然変更されるものである。
【００５３】
［第３の実施形態］
図７及び図８は第３の実施形態を示す図であり、図７は制御装置が行う制御のフローチャート図を、図８は本実施形態における室内熱交換器の温度と室内ファン回転数との関係を示すグラフをそれぞれ示す。
【００５４】
本実施形態においては、制御装置１１がハンチング頻度が高いと判断したとき、第二基準温度を上げるようにした点に特徴があり、これによりハンチングの頻度を減少させることが可能な構成とされており、その他の構成は第１の実施形態と同じとされている。
【００５５】
本実施形態における制御装置１１の制御について、図７、８を基に説明する。制御装置１１が、ハンチングの頻度が高いと判断（ＳＴ１）したとき、弱風運転の終了温度、すなわち、第二基準温度を３５℃から４０℃までに上げる。これにより室内ファンの通常運転が開始されたとき、４０℃まで室内熱交換器６温度を上げているので、弱風運転開始温度である２８℃まで下がるには時間がかかることになる。
【００５６】
上記条件で弱風運転と通常運転とを繰り返しているうちに、熱交換器温度６が２８℃以下にならなくなる。そこで、３０分間２８℃よりも高い温度を維持したかどうかを判断し（ＳＴ２）、維持した場合には、制御装置は第二基準温度を３５℃に戻し、通常の切換え制御にもどる。
【００５７】
このような機能を有する制御装置１１を用いれば、ハンチングの頻度を減少させることが可能になるとともに、冷風感を抑えることができる。
【００５８】
［第４の実施形態］
図９及び図１０は第４の実施形態を示す図であり、図９は制御装置が行う制御のフローチャート図を、図１０は本実施形態における室内熱交換器の温度と室内ファン回転数との関係を示すグラフをそれぞれ示す。
【００５９】
本実施形態においては、制御装置１１がハンチング頻度が高いと判断したとき、第一基準温度を下げ、さらに、第二基準温度を上げるようにした点に特徴があり、これによりハンチングの頻度を減少させることが可能な構成とされており、その他の構成は第１の実施形態と同じとされている。
【００６０】
本実施形態における制御装置１１の制御について、図９、１０を基に説明する。制御装置１１が、ハンチングの頻度が高いと判断（ＳＴ１）したとき、弱風運転の開始温度である第一基準温度を２８℃から２２℃に下げて弱風運転に入りにくくするとともに、第二基準温度を３５℃から４０℃に上げる。このように温度変動幅を大きくすることにより、ハンチングを抑制し、より安定的に通常運転を行うことが可能となる。
【００６１】
図１０では、室内熱交換器６の温度が４０℃になったところで、通常運転である強風となり、熱交換器温度が下がっても２２℃まで、長時間通常運転が行われる。そして２２℃以下になったところで、超微風になり、これを繰り返すうちに熱交換器温度が２２℃を下回らなくなり、３０分間、熱交換器温度が２２℃よりも高い温度を維持するかどうかを判断し（ＳＴ２）、維持した場合には、制御装置は第一基準温度と第二基準温度をそれぞれ２８℃と３５℃に戻し、通常の切換え制御に復帰する。
【００６２】
【発明の効果】
以上の説明から明らかなように、本発明によると、温度検出手段の検出結果によって通常運転と風量の少ない弱風運転とに切換え制御する制御装置が、室内熱交換器の温度変動が設定許容範囲を超えたときに、弱風運転時間を延長する延長手段を有するため、ハンチングの頻度を減少させることが可能となる。
【００６３】
延長手段として、弱風運転における室内ファンの回転数を段階的に複数設定し、設定されたひとつの回転数で所定時間運転する手段と、所定時間経過後に検出された室内熱交換器の温度が通常運転から弱風運転に切換えるときの基準となる温度よりも高い場合は、回転数を一段階あるいは複数段階上げる手段と、前記基準温度よりも低い場合には、回転数を一段階あるいは複数段階下げる手段とを有する構成を採用すれば、室内ファンの回転数と、実際の室内熱交換器の温度とのずれが殆どなくなり、冷風が吹き出すのをより確実に抑制することが可能となる。
【００６４】
また、制御装置が、室内熱交換器の温度変動が設定許容範囲を超えたときに、室内熱交換器の温度変動幅を大きくするような構成とすることによってもハンチングの頻度を減少させることが可能となる。
【図面の簡単な説明】
【図１】空気調和機の構成図
【図２】制御装置を示すブロック図
【図３】第１の実施形態における制御装置の制御を示すフローチャート図
【図４】図３における室内熱交換器の温度とファン回転数との関係を示すグラフ
【図５】第２の実施形態における制御装置の制御を示すフローチャート図
【図６】図５における室内熱交換器の温度とファン回転数との関係を示すグラフ
【図７】第３の実施形態における制御装置の制御を示すフローチャート図
【図８】図６における室内熱交換器の温度とファン回転数との関係を示すグラフ
【図９】第４の実施形態における制御装置の制御を示すフローチャート図
【図１０】図６における室内熱交換器の温度とファン回転数との関係を示すグラフ
【図１１】従来の室内熱交換器の温度とファン回転数との関係を示すグラフ
【符号の説明】
１　　　　圧縮機
２　　　　四方弁
３　　　　室外熱交換器
４　　　　絞り機構
５　　　　冷媒配管
６　　　　室内熱交換器
７　　　　室内機
８　　　　室外ファン
９　　　　室内ファン
１０　　　　温度検出手段
１１　　　　制御装置
【図１】
2004028429.tif 000003
【図２】
2004028429.tif 000004
【図３】
2004028429.tif 000005
【図４】
2004028429.tif 000006
【図５】
2004028429.tif 000007
【図６】
2004028429.tif 000008
【図７】
2004028429.tif 000009
【図８】
2004028429.tif 000010
【図９】
2004028429.tif 000011
【図１０】
2004028429.tif 000012
【図１１】
2004028429.tif 000013